(57)【要約】      （修正有）【課題】熟練度を必要とせずに、曲げ木を行うことができるようになり、かつ、曲げ木作業後に簡単に木材を曲木装置から外して乾燥に供することができるようにした曲木用型及び該曲木用型を使用するステッキ製造用回転式曲木装置を提供する。【解決手段】曲木用型は、ステッキの材料となる棒状木材の一端を曲げて柄部分を形成する際に用いられる曲木用型Ａであって、鋼製の本体１を有し、本体１を回転させる回転軸を挿入可能な回転軸挿入孔２が設けられ、本体１の外周には、回転軸線Ｘと同軸の円弧から成る成形面３が設けられ、かつ、本体１の外周における回転軸線Ｘを中心として成形面３と対向する位置に径方向外方に伸びる係止ピン４が設けられ、係止ピン４が、曲木行程中に棒状木材を押さえる帯板を留め、かつ、曲木終了後に棒状材料及び帯板が元の形状に戻ろうとする力を押さえるフックを留めるピンとして機能する。【選択図】図１ａ
2017202152.tif 000002
【特許請求の範囲】
【請求項１】
ステッキの材料となる棒状木材の一端を曲げて柄部分を形成する際に用いられる曲木用型（Ａ）であって、
鋼製の本体（１）を有し、
該本体（１）には、本体（１）を回転させる回転軸を挿入可能な回転軸挿入孔（２）が設けられ、
本体（１）の外周には、本体（１）の回転軸線（Ｘ）と同軸の円弧から成る成形面（３）が設けられ、
かつ、本体（１）の外周における前記回転軸線（Ｘ）を中心として前記成形面（３）と対向する位置に径方向外方に伸びる係止ピン（４）が設けられ、
前記係止ピン（４）が、曲木行程中に棒状木材（Ｒ）を押さえる帯板（１４）を留め、かつ、曲木終了後に棒状材料（Ｒ）及び帯板（１４）が元の形状に戻ろうとする力を押さえるフック（２０）を留めるピンとして機能する
ことを特徴とする曲木用型。
【請求項２】
ステッキの材料となる棒状木材の一端を曲げて柄部分を形成するために用いられるステッキ製造用回転式曲木装置であって、
回転軸（１２）及び左右方向に移動可能な調整用ガイド部材（１３）を備えた  作業台（１１）と、
前記作業台（１１）の回転軸（１２）に装着可能な請求項１に記載の曲木用型（Ａ）と、
前記曲木用型（Ａ）の係止ピン（４）に先端部分を取り付け可能な弾性帯板（１４）と、
前記帯板（１４）と前記棒状木材（Ｒ）とをクランプ可能な支持部材（１７）と
を備え、
棒状木材（Ｒ）の曲げるべき部分を蒸煮又は煮沸により軟化させ、かつ、前記曲木用型（Ａ）を高温に加熱した状態で、
前記回転軸（１２）に前記曲木用型（Ａ）を取り付け、
曲木用型（Ａ）の成形面（３）と弾性帯板（１４）との間に棒状木材（Ｒ）の先端部分を挟むように棒状木材（Ｒ）と帯板（１４）とをセットし、かつ、支持部材（１７）で棒状木材（Ｒ）及び帯板（１４）をクランプし、
前記曲木用型（Ａ）の回転に伴って前記支持部材（１７）が棒状木材（Ｒ）及び帯板（１４）と共に前記ガイド部材（１３）に沿って移動するように前記支持部材（１７）をセットし、
前記曲木用型（Ａ）を回転させて、その成形面（３）に沿って前記棒状木材（Ｒ）を曲げるように構成した
ことを特徴とするステッキ製造用回転式曲木装置。
【請求項３】
棒材木材（Ｒ）を曲げた後に、前記曲木用型（Ａ）の係止ピン（４）と帯材（１４）とに係止して曲木終了後に棒状材料（Ｒ）及び帯板（１４）が元の形状に戻ろうとする力を押さえるフック（２０）を備え、
前記支持部材（１７）が、曲木終了後に、前記曲木用型（Ａ）の前記係止ピン（４）に対応する位置に、前記フック（２０）を挿入可能な切欠きを備えている
ことを特徴とする請求項２に記載のステッキ製造用回転式曲木装置。
【請求項４】
前記支持部材（１７）が曲木開始時に、棒状木材（Ｒ）と帯板（１４）とをクランプするクランプ（１６）を挿入可能な切欠きを備えている
ことを特徴とする請求項２又は３に記載のステッキ製造用回転式曲木装置。
【発明の詳細な説明】
【技術分野】
【０００１】
本発明は、柄の部分から先端まで継ぎ目のない一本の木で製造するステッキの製造用曲木用型及び該曲木用型を使用するステッキ製造用回転式曲木装置に関する。
【背景技術】
【０００２】
従来から、特に欧州ではステッキを補助歩行用器具としてではなく純粋な装身具として持つ人が多数存在しており、近年、我が国でもステッキを装身具として身に着ける人が増えてきている。
装身具としてのステッキには、様々な種類のものがある。代表的なステッキとしては、柄の部分と本体部分とが別々に製造され、後で両者が接続されたタイプのステッキと、柄の部分から先端まで継ぎ目のない一方の木で製造されたタイプのステッキとがある。
後者の場合、材料となる木材の一方の端部をＵ字状に曲げることで柄を作り出している。
木材を曲げる方法として、最も一般的な方法は、材料を蒸煮又は煮沸し、かつ、加熱をして木材を軟化させた上で曲げ木を行う方法である。
曲げる時に木材の外側のかかる力によって木材の外側に亀裂が生じたりしないように、木材の外側には鉄製の帯板が沿えられる。
【先行技術文献】
【非特許文献】
【０００３】
【非特許文献１】財団法人職業訓練教材研究会発行「木工工作法」
【発明の概要】
【発明が解決しようとする課題】
【０００４】
しかし、上記した従来の方法は、熟練の作業者が木材の状態を見ながら、帯板を定期的にしめ直す等しながら慎重に行わなければならない作業であり、相当の熟練度が必要な作業であった。
また、曲げた後の木材は、曲げたままの状態を維持して乾燥させる必要があるところ、曲げ木作業後に曲げたままの状態を維持しながら木材を曲木装置から外して乾燥させるようにするための構造については、未だ改良の余地があった。
本発明は、上記した従来の問題点に鑑みて、熟練度を必要とせずに、曲げ木を行うことができるようになり、かつ、曲げ木作業後に簡単に木材を曲木装置から外して乾燥に供することができるようにした曲木用型及び該曲木用型を使用するステッキ製造用回転式曲木装置を提供することを目的としている。
【課題を解決するための手段】
【０００５】
上記した目的を達成するために、本発明に係るステッキ製造用の曲木用型は、ステッキの材料となる棒状木材の一端を曲げて柄部分を形成する際に用いられる曲木用型であって、鋼製の本体を有し、該本体には本体を回転させる回転軸を挿入可能な回転軸挿入孔が設けられ、本体の外周には、本体の回転軸線と同軸の円弧から成る成形面が設けられ、かつ、本体の外周における前記回転軸線を中心として前記成形面と対向する位置に径方向外方に伸びる係止ピンが設けられ、前記係止ピンが、曲木行程中に棒状木材を押さえる帯板を留め、かつ、曲木終了後に棒状材料及び帯板が元の形状に戻ろうとする力を押さえるフックを留めるピンとして機能することを特徴とする。
また、本発明に係るステッキ製造用回転式曲木装置は、ステッキの材料となる棒状木材の一端を曲げて柄部分を形成するために用いられるステッキ製造用回転式曲木装置であって、回転軸及び左右方向に移動可能な調整用ガイド部材を備えた作業台と、前記作業台の回転軸に装着可能な請求項１に記載の曲木用型と、前記曲木用型の係止ピンに先端部分を取り付け可能な弾性帯板と、前記帯板と前記棒状木材とをクランプ可能な支持部材とを備え、棒状木材の曲げるべき部分を蒸煮又は煮沸により軟化させ、かつ、前記曲木用型を高温に加熱した状態で、前記回転軸に前記曲木用型を取り付け、曲木用型の成形面と弾性帯板との間に棒状木材の先端部分を挟むように棒状木材と帯板とをセットし、かつ、支持部材で棒状木材及び帯板をクランプし、前記曲木用型の回転に伴って前記支持部材が棒状木材及び帯板と共に前記ガイド部材に沿って移動するように前記支持部材をセットし、前記曲木用型を回転させて、その成形面に沿って前記棒状木材を曲げるように構成したことを特徴とする。
好ましくは、該ステッキ製造用回転式曲木装置は、さらに、棒材木材を曲げた後に、前記曲木用型の係止ピンと帯材とに係止して曲木終了後に棒状材料及び帯板が元の形状に戻ろうとする力を押さえるフックを備え、前記支持部材は、曲木終了後に、前記曲木用型の前記係止ピンに対応する位置に、前記フックを挿入可能な切欠きを有し得る。
また、前記支持部材は、曲木開始時に、棒状木材と帯板とをクランプするクランプを挿入可能な切欠きをさらに有し得る。
【発明の効果】
【０００６】
本発明に係るステッキ製造用の曲木用型は、ステッキの材料となる棒状木材の一端を曲げて柄部分を形成する際に用いられる曲木用型であって、鋼製の本体を有し、該本体には本体を回転させる回転軸を挿入可能な回転軸挿入孔が設けられ、本体の外周には、本体の回転軸線と同軸の円弧から成る成形面が設けられ、かつ、本体の外周における前記回転軸線を中心として前記成形面と対向する位置に径方向外方に伸びる係止ピンが設けられ、前記係止ピンが、曲木行程中に棒状木材を押さえる帯板を留め、かつ、曲木終了後に棒状材料及び帯板が元の形状に戻ろうとする力を押さえるフックを留めるピンとして機能するように構成されているので、該曲木用型を高温に加熱し、棒状木材の曲げるべき部分を蒸煮又は煮沸により軟化させた状態で、棒状木材を帯板と曲木用型の成形面との間に挟み、棒状木材が外側に膨らまないように帯板を押さえながら曲木用型を回転させるだけでステッキの材料となる棒状木材の一端を綺麗に曲げることが可能になる。
また、本発明に係るステッキ製造用回転式曲木装置は、ステッキの材料となる棒状木材の一端を曲げて柄部分を形成するために用いられるステッキ製造用回転式曲木装置であって、回転軸及び左右方向に移動可能な調整用ガイド部材を備えた作業台と、前記作業台の回転軸に装着可能な請求項１に記載の曲木用型と、前記曲木用型の係止ピンに先端部分を取り付け可能な弾性帯板と、前記帯板と前記棒状木材とをクランプ可能な支持部材とを備え、棒状木材の曲げるべき部分を蒸煮又は煮沸により軟化させ、かつ、前記曲木用型を高温に加熱した状態で、前記回転軸に前記曲木用型を取り付け、曲木用型の成形面と弾性帯板との間に棒状木材の先端部分を挟むように棒状木材と帯板とをセットし、かつ、支持部材で棒状木材及び帯板をクランプし、前記曲木用型の回転に伴って前記支持部材が棒状木材及び帯板と共に前記ガイド部材に沿って移動するように前記支持部材をセットし、前記曲木用型を回転させて、その成形面に沿って前記棒状木材を曲げるように構成しているので、熟練者でなくても、ステッキの材料となる棒状木材の一端を綺麗に曲げて柄部分を形成することが可能になる。
また、該ステッキ製造用回転式曲木装置に、さらに、棒材木材を曲げた後に、前記曲木用型の係止ピンと帯材とに係止して曲木終了後に棒状材料及び帯板が元の形状に戻ろうとする力を押さえるフックを設け、曲木終了後に、前記曲木用型の前記係止ピンに対応する位置に前記フックを挿入可能な切欠きを前記支持部材に設けることで、乾燥を待たずに、曲木済の棒状木材Ｒを、帯板１４と共に曲木装置１０から外して乾燥させることが可能になる。
【図面の簡単な説明】
【０００７】
【図１ａ】本発明に係るステッキ製造用の曲木用型の平面図である。
【図１ｂ】図１に示した曲木用型の左側面図である。
【図２】本発明に係るステッキ製造用回転式曲木装置の分解平面図である。
【図３ａ】曲木装置１０の組立方法の一例を説明する図である。
【図３ｂ】曲木装置１０の組立方法の一例を説明する図である。
【図３ｃ】曲木装置１０の組立方法の一例を説明する図である。
【図３ｄ】曲木装置１０の組立方法の一例を説明する図である。
【図３ｅ】曲木装置１０の組立方法の一例を説明する図である。
【図３ｆ】曲木装置１０の組立方法の一例を説明する図である。
【図４ａ】曲木装置１０による曲木行程の経過を示す図である。
【図４ｂ】曲木装置１０による曲木行程の経過を示す図である。
【図４ｃ】曲木装置１０による曲木行程の経過を示す図である。
【図４ｄ】曲木装置１０による曲木行程の経過を示す図である。
【図５】曲木装置１０から外された曲木済の棒状木材Ｒを示す図である。
【発明を実施するための形態】
【０００８】
以下、添付図面に示した一実施例を参照しながら本発明に係る曲木用型及び該曲木用型を使用するステッキ製造用回転式曲木装置（以下、単に曲木装置と称する。）の実施の形態について説明していく。
【０００９】
図１ａは本発明に係るステッキ製造用の曲木用型の平面図であり、図１ｂは図１に示した曲木用型の左側面図である。
この曲木用型Ａは、適当な厚みの（好ましくは、曲げるべき棒状木材の厚みとほぼ同じ厚みの）鋼製の本体から成り、該本体１には、後で詳述する曲木装置１０の回転軸を挿入するための回転軸挿入孔２が設けられ、曲木装置１０において回転しながら棒状木材Ｒの一端を曲げるために用いられる。
曲木用型Ａは、その外周に、その回転軸線Ｘと同軸の円弧からなる成形面３を備え、かつ、その外周の前記回転軸線Ｘを中心として前記成形面３と対向する位置に径方向外方に伸びる係止ピン４が設けられている。
さらに、前記曲木用型Ａの前記円弧状の成形面３の一端には、外方向に突出する係止部５が設けられている。この係止部５は、曲木時に棒状木材Ｒの先端を止める。
【００１０】
上記したように構成された曲木用型Ａは、以下に説明するステッキ製造用回転式曲木装置１０において使用される。
図２は曲木装置１０の分解平面図である。以下の説明では、図２における横方向を左右方向、そして上下方向を前後方向として説明をし、かつ、紙面手前を上方、紙面奥側を下方として説明をする。
この曲木装置１０は、前記曲木用型Ａを用いて棒状木材Ｒのステッキの柄に相当する部分を曲げる装置である。
図中符号１１は作業台であり、この作業台１１からは回転軸１２が突出している。前記回転軸１２は、作業台１１の下方にあるモータ等の適当な動力源（図示せず）及びクラッチ付の動力伝達装置（図示せず）を用いて回転駆動される。
作業台１１には、調整可能なガイド部材１３が設けられている。このガイド部材１３は、ハンドル１３ａによって左右方向に移動可能に構成されている。
図２中、符号１４は、曲木行程中に棒状木材Ｒの外側を押さえる帯板であり、この帯板１４は、弾性材料からなり、先端が９０度に曲げられ、その折り曲げられた先端部分１４ａに曲木用型Ａの係止ピン４を挿入可能な孔（図示せず）が形成されている。
また、図２中、符号１５は、曲木行程中に棒状木材Ｒの先端と曲木用型Ａの係止部５との間に挟まれる先端止めプレートである。
さらに図２中、符号１６は帯板１４及び棒状木材Ｒを止めるクランプであり、符号１７は、クランプ１６によって止められた帯板１４及び棒状木材Ｒを把持し、曲木行程中に帯板１４及び棒状木材Ｒをガイド部材１３に沿って前方に送るための支持部材である。
支持部材１７は、その後端に帯板１４及び棒状木材Ｒをクランプするクランプ部１７ａを有し、かつ、クランプ部１７ａの前方に帯板１４及び棒状木材Ｒを止めるクランプ１６が入る切欠き１７ｂが形成されている。この切欠き１７ｂには、曲木行程中にクランプ１６が帯板１４及び棒状部材Ｒと共にずれないようにするための楔部１７ｃが形成されており、楔部１７ｃよりさらに前方には、曲木行程終了後に、曲木用型Ａの係止ピン４と帯板１４とを止めるＵ字型のフック２０がはいる浅い切欠きが１７ｄが形成されている。
さらに、図２中、符号１８及び１９は、曲木行程中に曲木用型Ａを上下から挟むガイドプレートである。
【００１１】
以下に、上記したように構成された曲木装置１０の使用方法について説明していく。
図３ａ〜図３ｆは、曲木装置１０の組立方法の一例を説明する図である。
始めにガイドプレート１８及び１９並びに曲木用型Ａをガスバーナー等の適当な加熱手段を用いて高温に加熱しておく。
同時に、棒状木材Ｒの曲げるべき部分を予め高温の蒸気を用いて蒸煮して軟化させておく。
始めに作業台１１の回転軸１２に、ガイドプレート１８を装着する（図３ａ）。次いで、ガイドプレート１８の上に重なるように回転軸１２に曲木用型Ａを装着する（図３ｂ）。この時、係止ピン４が前方に向き、係止部５がガイド部材１３側を向くように曲木用型Ａは装着される。
次いで、支持部材１７をガイド部材１３に沿って配置する（図３ｃ）。そして、棒状木材Ｒを、その先端と曲木用型Ａの係止部５との間に先端止めプレート１５を挟むように配置し（図３ｃ）、帯板１４を、その先端部分１４ａの孔に曲木用型Ａの係止ピン４が入り、かつ、全体が棒状木材Ｒの側面に沿うように装着する（図３ｃ）。
この状態で、クランプ１６で棒状木材Ｒと帯板１４とを留め、かつ、支持部材１７のクランプ部１７ａで棒状部材Ｒ及び帯板１４をクランプする（図３ｅ）。この時、クランプ１６は、支持部材１７の切欠き１７ｂに位置している。
最後に、曲木用型Ａの上に重なるようにガイドプレート１９を配置して組立が完了する（図３ｆ）。
上記した組立順序は、単なる一例であり、本実施例に限定されるものではない。
【００１２】
次に、上記した曲木装置１０の曲木行程について図４を参照しながら説明していく。
図４ａ〜図４ｄは曲木装置１０による曲木行程の経過を示す図である。図４ａ〜図４ｄにおいては、曲木の状態が明確になるように、作業台１１並びにガイドプレート１８及び１９は省略する。
図４ａは、曲木装置１０に棒状木材Ｒをセットした状態を示している。この時、棒状木材Ｒの曲げられるべき部分、具体的には、図４ａにおけるクランプ１６より前方の部分は、所定の時間、蒸煮して軟化されており、かつ、曲木用型Ａ並びに不図示のガイドプレート１８及び１９は高温に加熱されている。また、棒状部材Ｒの先端は、曲木用型Ａの成形面３と帯板１４との間で挟持されている。
この状態から図４ｂに示すように、作業台１１の回転軸１２を回転させると、それに伴い曲木用型Ａが回転する。帯板１４は、その先端部分１４ａが曲木用型Ａの係止ピン４で留められているので、曲木用型Ａに引っ張られる。
棒状木材Ｒは、その先端が曲木用型Ａの成形面３と帯板１４との間で挟まれ、かつ、クランプ１６及び支持部材１７のクランプ部１７ａによって帯板１４に留められているので、帯板１４と共に曲木用型Ａに引き込まれて曲木用型Ａの成形面３に沿って曲がり始める。
この時、棒状木材Ｒは、曲木用型Ａの回転に伴って外側（図４における左側）に逃げようとするが、この動きをガイド部材１３が抑止する。ガイド部材１３は、ハンドル１３ａによって左右方向に移動できるように構成されている。
ガイド部材１３は、棒状木材Ｒの外側（左側）に膨らもうとする動きを止めると同時に、棒状木材Ｒ及び帯板１４と共に支持部材１７が前方へ動く動きをガイドする役割を果たす。
棒状木材Ｒが外側に膨らもうとする動きを止めるためにガイド部材１３を支持部材１７に強く押し付けすぎると、ガイド部材１３と支持部材１７との摩擦が大きくなり、支持部材１７（並びに棒状木材Ｒ及び帯板１４）の前方への動きを阻害してしまい、逆に、ガイド部材１３の支持部材１７への押し付けが弱すぎると、棒状木材Ｒが外側に膨らんでしまい、その結果、棒状木材Ｒと曲木用型Ａの成形面３との間に隙間が生じ、綺麗に曲げることができなくなる。このため、ガイド部材１３は、支持部材１７の動きを阻害せず、かつ、棒状部材Ｒが外側に広がらないように曲木行程中にハンドル１３ａによって適宜調整される。
曲木装置１０の作業台１１の回転軸１２はさらに回転され（図４ｃ）、最終的に曲木用型Ａを１８０度回転した位置で止められる（図４ｄ）。
この状態で棒状木材Ｒは、曲木用型Ａの成形面３の形に沿って綺麗に曲げられている。
そしてこの時に、Ｕ字型フック２０を用いて、曲木用型Ａの係止ピン４と帯板１４とを係止して棒状木材Ｒ及び帯板１４が元の形状に戻ろうとする力を抑える。これにより乾燥を待たずに、曲木済の棒状木材Ｒを、帯板１４と共に曲木装置１０から外して乾燥させることが可能になる。
図５は、曲木装置１０から外された曲木済の棒状木材Ｒである。
曲木済の棒状木材Ｒは、この状態で乾燥させられた後、Ｕ字型フック２０を外して、帯板１４及び曲木用型Ａが取り外され、仕上げ作業に供される。
【００１３】
上記した実施例における曲木用型Ａの直径は単なる一例であり、本実施例に限定されることなく、製造するべきステッキの寸法やデザインに応じて適宜決められ得る。
【００１４】
ステッキに成形する棒状木材は、様々な種類の材料があり、具体的には、例えば、樫、楓、籐、桜、寒竹、黒檀、紫檀、花梨、スネークウッド、アッシュ、エゴ、アゼリヤ、藜等がある。
曲げ木を行う際に棒状木材を軟化させるための蒸煮時間及び温度は、成形する棒状木材の材質及び曲木の直径に応じて適宜決められ得る。
【符号の説明】
【００１５】
Ｒ  棒状木材
Ａ  成形用型
１  本体
２  回転軸挿入孔
３  成形面
４  係止ピン
５  係止部
１０  曲木装置
１１  作業台
１２  回転軸
１３  ガイド部材
１３ａ  ハンドル
１４  帯板
１４ａ  先端部分
１５  先端止めプレート
１６  クランプ
１７  支持部材
１７ａ  クランプ部
１７ｂ  切欠き
１７ｃ  楔部
１７ｄ  浅い切欠き
１８  ガイドプレート
１９  ガイドプレート
２０  Ｕ字型フック
【図１ａ】
2017202152.tif 000003
【図１ｂ】
2017202152.tif 000004
【図２】
2017202152.tif 000005
【図３ａ】
2017202152.tif 000006
【図３ｂ】
2017202152.tif 000007
【図３ｃ】
2017202152.tif 000008
【図３ｄ】
2017202152.tif 000009
【図３ｅ】
2017202152.tif 000010
【図３ｆ】
2017202152.tif 000011
【図４ａ】
2017202152.tif 000012
【図４ｂ】
2017202152.tif 000013
【図４ｃ】
2017202152.tif 000014
【図４ｄ】
2017202152.tif 000015
【図５】
2017202152.tif 000016
【手続補正書】
【提出日】平成29年5月24日(2017.5.24)
【手続補正２】
【補正対象書類名】明細書
【補正対象項目名】０００１
【補正方法】変更
【補正の内容】
【０００１】
本発明は、柄の部分から先端まで継ぎ目のない一本の木で製造するステッキの製造用曲木用型を使用するステッキ製造用回転式曲木装置に関する。
【手続補正３】
【補正対象書類名】明細書
【補正対象項目名】０００５
【補正方法】変更
【補正の内容】
【０００５】
上記した目的を達成するために、本発明に係るステッキ製造用回転式曲木装置は、ステッキの材料となる棒状木材の一端を曲げて柄部分を形成するために用いられるステッキ製造用回転式曲木装置であって、回転軸（１２）及び左右方向に移動可能な調整用ガイド部材（１３）を備えた作業台（１１）と、前記作業台（１１）の回転軸（１２）に装着可能な曲木用型（Ａ）と、前記曲木用型（Ａ）の係止ピン（４）に先端部分を取り付け可能な弾性帯板（１４）と、  前記帯板（１４）と前記棒状木材（Ｒ）とをクランプ可能な支持部材（１７）とを備え、前記曲木用型が、ステッキの材料となる棒状木材の一端を曲げて柄部分を形成する際に用いられる曲木用型（Ａ）であって、鋼製の本体（１）を有し、該本体（１）には、本体（１）を回転させる回転軸を挿入可能な回転軸挿入孔（２）が設けられ、本体（１）の外周には、本体（１）の回転軸線（Ｘ）と同軸の円弧から成る成形面（３）が設けられ、かつ、本体（１）の外周における前記回転軸線（Ｘ）を中心として前記成形面（３）と対向する位置に径方向外方に伸びる係止ピン（４）が設けられ、前記係止ピン（４）が、曲木行程中に棒状木材（Ｒ）を押さえる帯板（１４）を留め、かつ、曲木終了後に棒状材料（Ｒ）及び帯板（１４）が元の形状に戻ろうとする力を押さえるフック（２０）を留めるピンとして機能するように構成され、棒状木材（Ｒ）の曲げるべき部分を蒸煮又は煮沸により軟化させ、かつ、前記曲木用型（Ａ）を高温に加熱した状態で、前記回転軸（１２）に前記曲木用型（Ａ）を取り付け、曲木用型（Ａ）の成形面（３）と弾性帯板（１４）との間に棒状木材（Ｒ）の先端部分を挟むように棒状木材（Ｒ）と帯板（１４）とをセットし、かつ、支持部材（１７）で棒状木材（Ｒ）及び帯板（１４）をクランプし、前記曲木用型（Ａ）の回転に伴って前記支持部材（１７）が棒状木材（Ｒ）及び帯板（１４）と共に前記ガイド部材（１３）に沿って移動するように前記支持部材（１７）をセットし、前記曲木用型（Ａ）を回転させて、その成形面（３）に沿って前記棒状木材（Ｒ）を曲げるように構成したことを特徴とする。
好ましくは、該ステッキ製造用回転式曲木装置は、さらに、棒材木材を曲げた後に、前記曲木用型の係止ピンと帯材とに係止して曲木終了後に棒状材料及び帯板が元の形状に戻ろうとする力を押さえるフックを備え、前記支持部材は、曲木終了後に、前記曲木用型の前記係止ピンに対応する位置に、前記フックを挿入可能な切欠きを有し得る。
また、前記支持部材は、曲木開始時に、棒状木材と帯板とをクランプするクランプを挿入可能な切欠きをさらに有し得る。
【手続補正４】
【補正対象書類名】明細書
【補正対象項目名】０００６
【補正方法】変更
【補正の内容】
【０００６】
本発明に係るステッキ製造用回転式曲木装置に用いられるステッキ製造用の曲木用型は、ステッキの材料となる棒状木材の一端を曲げて柄部分を形成する際に用いられる曲木用型であって、鋼製の本体を有し、該本体には本体を回転させる回転軸を挿入可能な回転軸挿入孔が設けられ、本体の外周には、本体の回転軸線と同軸の円弧から成る成形面が設けられ、かつ、本体の外周における前記回転軸線を中心として前記成形面と対向する位置に径方向外方に伸びる係止ピンが設けられ、前記係止ピンが、曲木行程中に棒状木材を押さえる帯板を留め、かつ、曲木終了後に棒状材料及び帯板が元の形状に戻ろうとする力を押さえるフックを留めるピンとして機能するように構成されているので、該曲木用型を高温に加熱し、棒状木材の曲げるべき部分を蒸煮又は煮沸により軟化させた状態で、棒状木材を帯板と曲木用型の成形面との間に挟み、棒状木材が外側に膨らまないように帯板を押さえながら曲木用型を回転させるだけでステッキの材料となる棒状木材の一端を綺麗に曲げることが可能になる。
また、本発明に係るステッキ製造用回転式曲木装置は、ステッキの材料となる棒状木材の一端を曲げて柄部分を形成するために用いられるステッキ製造用回転式曲木装置であって、回転軸及び左右方向に移動可能な調整用ガイド部材を備えた作業台と、前記作業台の回転軸に装着可能な請求項１に記載の曲木用型と、前記曲木用型の係止ピンに先端部分を取り付け可能な弾性帯板と、前記帯板と前記棒状木材とをクランプ可能な支持部材とを備え、棒状木材の曲げるべき部分を蒸煮又は煮沸により軟化させ、かつ、前記曲木用型を高温に加熱した状態で、前記回転軸に前記曲木用型を取り付け、曲木用型の成形面と弾性帯板との間に棒状木材の先端部分を挟むように棒状木材と帯板とをセットし、かつ、支持部材で棒状木材及び帯板をクランプし、前記曲木用型の回転に伴って前記支持部材が棒状木材及び帯板と共に前記ガイド部材に沿って移動するように前記支持部材をセットし、前記曲木用型を回転させて、その成形面に沿って前記棒状木材を曲げるように構成しているので、熟練者でなくても、ステッキの材料となる棒状木材の一端を綺麗に曲げて柄部分を形成することが可能になる。
また、該ステッキ製造用回転式曲木装置に、さらに、棒材木材を曲げた後に、前記曲木用型の係止ピンと帯材とに係止して曲木終了後に棒状材料及び帯板が元の形状に戻ろうとする力を押さえるフックを設け、曲木終了後に、前記曲木用型の前記係止ピンに対応する位置に前記フックを挿入可能な切欠きを前記支持部材に設けることで、乾燥を待たずに、曲木済の棒状木材Ｒを、帯板１４と共に曲木装置１０から外して乾燥させることが可能になる。
【手続補正５】
【補正対象書類名】明細書
【補正対象項目名】０００７
【補正方法】変更
【補正の内容】
【０００７】
【図１ａ】本発明に係るステッキ製造用回転式曲木装置に使用されるステッキ製造用の曲木用型の平面図である。
【図１ｂ】図１に示した曲木用型の左側面図である。
【図２】本発明に係るステッキ製造用回転式曲木装置の分解平面図である。
【図３ａ】曲木装置１０の組立方法の一例を説明する図である。
【図３ｂ】曲木装置１０の組立方法の一例を説明する図である。
【図３ｃ】曲木装置１０の組立方法の一例を説明する図である。
【図３ｄ】曲木装置１０の組立方法の一例を説明する図である。
【図３ｅ】曲木装置１０の組立方法の一例を説明する図である。
【図３ｆ】曲木装置１０の組立方法の一例を説明する図である。
【図４ａ】曲木装置１０による曲木行程の経過を示す図である。
【図４ｂ】曲木装置１０による曲木行程の経過を示す図である。
【図４ｃ】曲木装置１０による曲木行程の経過を示す図である。
【図４ｄ】曲木装置１０による曲木行程の経過を示す図である。
【図５】曲木装置１０から外された曲木済の棒状木材Ｒを示す図である。
【手続補正６】
【補正対象書類名】明細書
【補正対象項目名】０００８
【補正方法】変更
【補正の内容】
【０００８】
以下、添付図面に示した一実施例を参照しながら本発明に係るステッキ製造用回転式曲木装置に使用される曲木用型及び該曲木用型を使用するステッキ製造用回転式曲木装置（以下、単に曲木装置と称する。）の実施の形態について説明していく。
【手続補正７】
【補正対象書類名】明細書
【補正対象項目名】０００９
【補正方法】変更
【補正の内容】
【０００９】
図１ａは本発明に係るステッキ製造用回転式曲木装置に使用される曲木用型の平面図であり、図１ｂは図１に示した曲木用型の左側面図である。
この曲木用型Ａは、適当な厚みの（好ましくは、曲げるべき棒状木材の厚みとほぼ同じ厚みの）鋼製の本体から成り、該本体１には、後で詳述する曲木装置１０の回転軸を挿入するための回転軸挿入孔２が設けられ、曲木装置１０において回転しながら棒状木材Ｒの一端を曲げるために用いられる。
曲木用型Ａは、その外周に、その回転軸線Ｘと同軸の円弧からなる成形面３を備え、かつ、その外周の前記回転軸線Ｘを中心として前記成形面３と対向する位置に径方向外方に伸びる係止ピン４が設けられている。
さらに、前記曲木用型Ａの前記円弧状の成形面３の一端には、外方向に突出する係止部５が設けられている。この係止部５は、曲木時に棒状木材Ｒの先端を止める。
【手続補正８】
【補正対象書類名】特許請求の範囲
【補正対象項目名】全文
【補正方法】変更
【補正の内容】
【特許請求の範囲】
【請求項１】
ステッキの材料となる棒状木材の一端を曲げて柄部分を形成するために用いられるステッキ製造用回転式曲木装置であって、
回転軸（１２）及び左右方向に移動可能な調整用ガイド部材（１３）を備えた作業台（１１）と、
前記作業台（１１）の回転軸（１２）に装着可能な曲木用型（Ａ）と、
前記曲木用型（Ａ）の係止ピン（４）に先端部分を取り付け可能な弾性帯板（１４）と、
前記帯板（１４）と前記棒状木材（Ｒ）とをクランプ可能な支持部材（１７）と
を備え、
前記曲木用型が、
ステッキの材料となる棒状木材の一端を曲げて柄部分を形成する際に用いられる曲木用型（Ａ）であって、
鋼製の本体（１）を有し、
該本体（１）には、本体（１）を回転させる回転軸を挿入可能な回転軸挿入孔（２）が設けられ、
本体（１）の外周には、本体（１）の回転軸線（Ｘ）と同軸の円弧から成る成形面（３）が設けられ、
かつ、本体（１）の外周における前記回転軸線（Ｘ）を中心として前記成形面（３）と対向する位置に径方向外方に伸びる係止ピン（４）が設けられ、
前記係止ピン（４）が、曲木行程中に棒状木材（Ｒ）を押さえる帯板（１４）を留め、かつ、曲木終了後に棒状材料（Ｒ）及び帯板（１４）が元の形状に戻ろうとする力を押さえるフック（２０）を留めるピンとして機能する
ように構成され、
棒状木材（Ｒ）の曲げるべき部分を蒸煮又は煮沸により軟化させ、かつ、前記曲木用型（Ａ）を高温に加熱した状態で、
前記回転軸（１２）に前記曲木用型（Ａ）を取り付け、
曲木用型（Ａ）の成形面（３）と弾性帯板（１４）との間に棒状木材（Ｒ）の先端部分を挟むように棒状木材（Ｒ）と帯板（１４）とをセットし、かつ、支持部材（１７）で棒状木材（Ｒ）及び帯板（１４）をクランプし、
前記曲木用型（Ａ）の回転に伴って前記支持部材（１７）が棒状木材（Ｒ）及び帯板（１４）と共に前記ガイド部材（１３）に沿って移動するように前記支持部材（１７）をセットし、
前記曲木用型（Ａ）を回転させて、その成形面（３）に沿って前記棒状木材（Ｒ）を曲げるように構成した
ことを特徴とするステッキ製造用回転式曲木装置。
【請求項２】
棒材木材（Ｒ）を曲げた後に、前記曲木用型（Ａ）の係止ピン（４）と帯材（１４）とに係止して曲木終了後に棒状材料（Ｒ）及び帯板（１４）が元の形状に戻ろうとする力を押さえるフック（２０）を備え、
前記支持部材（１７）が、曲木終了後に、前記曲木用型（Ａ）の前記係止ピン（４）に対応する位置に、前記フック（２０）を挿入可能な切欠きを備えている
ことを特徴とする請求項１に記載のステッキ製造用回転式曲木装置。
【請求項３】
前記支持部材（１７）が曲木開始時に、棒状木材（Ｒ）と帯板（１４）とをクランプするクランプ（１６）を挿入可能な切欠きを備えている
ことを特徴とする請求項１又は２に記載のステッキ製造用回転式曲木装置。